(57)【要約】      （修正有）【課題】均一な輝度を有する液晶ディスプレイのバックライトモジュールのフレーム構造を提供する。【解決手段】バックライトモジュールのフレーム構造は、本体１１と、導光層１２からなり、該導光層１２は、本体１１上に結合して光源からの光をバックライトとしてディスプレイ面に拡散して導く。本体に対して導光層を射出成形により一体成形し、本体の導光層との接合面に掛合溝を設けておくことにより結合強度を向上し、また、該導光層は、掛合溝を複数の拡散点を層内に分散することによって光源からの光を導光層に進入させた後、該拡散点によって光源を均一に外向きに反射させる。【選択図】図１
0003142189.tif 000002
【実用新案登録請求の範囲】
【請求項１】
液晶ディスプレイに用いるバックライトモジュールにおいて、該バックライトモジュールのフレーム構造が、本体と、本体上に結合される導光層とからなり、該導光層に複数の拡散点を形成して、導光層に導入された光源を分散させて均一に外向きに反射させるようにしたことを特徴とする液晶ディスプレイのバックライトモジュールのフレーム構造。
【請求項２】
前記本体が白色プラスチック材料からなることを特徴とする請求項１記載の液晶ディスプレイのバックライトモジュールのフレーム構造。
【請求項３】
前記導光層が接着方式で本体に結合されたことを特徴とする請求項１記載の液晶ディスプレイのバックライトモジュールのフレーム構造。
【請求項４】
前記本体の一側面にそれぞれ位置をずらして少なくとも１つづつの接合溝を設けて、該導光層が射出成型方式により本体上に成型されることにより、導光層が該接合溝に嵌合して接合強度を向上することを特徴とする請求項１記載の液晶ディスプレイのバックライトモジュールのフレーム構造。
【請求項５】
前記導光層がＰＣ光学透明材質で形成されたことを特徴とする請求項１記載の液晶ディスプレイのバックライトモジュールのフレーム構造。
【請求項６】
前記複数の拡散点が導光層内に形成されたことを特徴とする請求項１記載の液晶ディスプレイのバックライトモジュールのフレーム構造。
【考案の詳細な説明】
【技術分野】
【０００１】
本考案は、液晶ディスプレイのバックライトモジュールのフレーム構造に関し、特に、光源を均一に拡散できるフレーム構造であり、構造が簡単で、コストが低く、製造が容易である等の利点を有するバックライトモジュールのフレーム構造に関する。
【背景技術】
【０００２】
液晶ディスプレイの急速な発展と大衆化の価格によって、液晶ディスプレイが徐々に従来の陰極射線管、バックライト投影テレビ、更にはプラズマテレビの市場に取って変わっている。液晶ディスプレイ中、バックライトシステムは、液晶ディスプレイパネルのバックライトモジュールフレームに固定され、バックライトシステムでは冷陰極灯管をトランジスタ液晶パネルの主要な光源として用い、ディスプレイの効果を達成する。そのうち、冷陰極灯管は、通常バックライトモジュールの中央に配置され、液晶ディスプレイパネルの両側の部分に最も暗い領域となり、液晶パネルの明暗領域が明くなる現象が形成される。
【０００３】
従って、冷陰極灯管の光線を液晶ディスプレイの視覚ウィンドウ領域に均等に分散させるために、従来のバックライトモジュールフレームのトランジスタ液晶パネルに近づく一側面上に白色PET等の合成樹脂からなる光反射片を貼り、光線を反射屈折させて液晶ディスプレイの暗帯の状況を軽減する。しかしながら、光線は、反射率の高い白色PET等の合成樹脂からなる光反射片を経て反射された後、液晶ディスプレイパネル局部的に過度に明るくなる問題が発生し易く、全体の画面出力を均一化するという理想的な状態とならない。
【特許文献１】特開２００８−６６２０９号公報
【考案の開示】
【考案が解決しようとする課題】
【０００４】
本考案の目的は、液晶ディスプレイパネルの局部的に過度に明るくなる問題を効果的に解決できるバックライトモジュールのフレーム構造を提供することにある。
【０００５】
本考案の次の目的は、構造が簡単で、コストが低く、製造が容易なバックライトモジュールのフレーム構造を提供することにある。
【課題を解決するための手段】
【０００６】
上記の目的を達成するため、本考案によるバックライトモジュールのフレーム構造は、液晶ディスプレイに適用し、バックライトモジュールをその上に固定させ、該バックライトモジュールのフレーム構造が、本体と、導光層からなり、該導光層は、本体上に結合し、該導光層が複数の拡散点を有し、光源を導光層に進入させた後、該拡散点によって光源を均一に外向きに反射させる。
【考案の効果】
【０００７】
本考案は以下の利点を有する：
1.本考案は、導光層が拡散点を設ける技術によって、光源が均一に外向きに反射され、現有技術の光源が白色反射片を経て直接反射された後、局部的に過度に明るくなる問題を発生することを解決する。
2.本考案は、PC光学透明材質の導光層を従来の反射片に置き換え、コストが低く、構造が簡単で製造が容易であり、直接成型方式で本体上に結合でき、従来技術の光反射片を貼り付ける工程を減少させることができ、使用寿命を延長し、生産の歩留まりを向上させることができる。
【考案を実施するための最良の形態】
【０００８】
図１〜図５は、本考案のバックライトモジュールのフレーム１の構造の好適な実施例であり、それは、本体１１と導光層１２からなる。
【０００９】
該本体１１は、白色プラスチック材料から形成され、その周縁は、複数の定位凹溝１１１を有し、液晶ディスプレイパネルとバックライトモジュールのその他のユニットを該バックライトモジュールフレーム１上に固定する。該導光層１２は、ＰＣ光学透明材質で形成され、複数の拡散点１２０を有する。製造時、該導光層１２は、貼り付け方式または射出成型方式で本体１１上に成型でき、本実施例では射出成型方式を例とし、該本体１１の一側面には、それぞれ位置をずらした少なくとも１つづつの接合溝１２１及び接合溝１２２を設け、プラスチック材料をその上に射出成型することにより射出成形される導光層を該接合溝に嵌合させて、本体１１と導光層１２の結合の強度を向上し、該複数の拡散点１２０は、導光層１２内に形成される（図２参照）。
【００１０】
実施時、図３，図５を参照し、導光層１２は、該本体１１の一側に成型され、その側面は、該バックライトモジュールフレーム１の内部側面であり、該本体１１と該導光層１２を一体に成型する方式で該バックライトモジュールフレーム１を構成する。該本体１１と該導光層１２が一体に成型される方式で１つの結合される時、該導光層１２は該本体１１の一側面に平らに結合され、如何なる折り目の発生もなく、歪みにより本体１１を突出させることがない。
【００１１】
図４は、本考案のバックライトモジュールフレーム１の好適な実施例の別の角度からみた立体外観図である。該導光層１２は、該本体１１上に射出成型され、導光層２の底部は、本体１１上の位置をずらした接合溝１２１と接合溝１２２に嵌合する嵌合部を有して相互に結合されることにより、本体１１と導光層１２の結合強度を向上させる。
【００１２】
従って、光源が導光層１２に進入した後、光源の一部が、導光層１２が有する複数の拡散点１２０によって、分散され、該拡散点１２０によって光源を均等に外向きに反射することができる。
【００１３】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【図面の簡単な説明】
【００１４】
【図１】本考案の導光層と本体の結合前の立体外観図である。
【図２】図１中の導光層のa-a’の局部断面図である。
【図３】本考案の実施例の導光層の本体と結合後の立体外観図である。
【図４】本考案の実施例の導光層の本体と結合後の別の角度から見た立体外観図である。
【図５】本考案の実施例のバックライトモジュールのフレームの立体外観図である。
【符号の説明】
【００１５】
１  フレーム
１１  本体
１１１  凹溝
１２  導光層
１２０  拡散点
１２１  接合溝
１２２  接合溝
【図１】
0003142189.tif 000003
【図２】
0003142189.tif 000004
【図３】
0003142189.tif 000005
【図４】
0003142189.tif 000006
【図５】
0003142189.tif 000007